(57)【特許請求の範囲】
【請求項１】
印刷処理後のインクリボンを、露光により印章に印章文字を形成するためのマスクとして利用する一方、前記インクリボンからインクの熱転写を受けた印刷処理後の短冊状の製版シートを、前記印章の背面に前記印章文字の確認のために貼着する前記印章文字ラベルとして利用するために、
検出用マークを有すると共に手差しで挿入される前記製版シートを巻出しリールから巻き出された前記インクリボンと共に送りながら、前記製版シートにサーマル方式で印刷を行う印章作成装置であって、
挿入された前記製版シートをくわえ込んで一方向に送る送り手段と、
送られてゆく前記製版シートに印刷処理を行う印刷ヘッドと、
前記印刷ヘッドおよび前記送り手段のシート送り方向の上流側に配設した単一のセンサと、
前記センサの検出信号に基づいて、前記送り手段および前記印刷ヘッドの駆動を制御する制御手段と、を備え、
前記制御手段は、手差しで挿入された前記製版シートの先端を前記センサが検出したときに前記送り手段を駆動し、
前記製版シートが前記送り手段にくわえ込まれて送りを開始した後、前記センサが前記検出マークを検出したときに、前記製版シートを所定量送って前記印刷処理のための頭出しを行うことを特徴とする印章作成装置。
【請求項２】
前記制御手段は、前記センサが前記検出用マークを検出しないときには、前記印刷ヘッドを駆動することなく前記製版シートを排出することを特徴とする請求項１に記載の印章作成装置。
【請求項３】
前記制御手段は、前記センサが前記製版シートの終端部を検出したら、前記製版シートを排出するための所定量送った後、前記送り手段の駆動を停止させることを特徴とする請求項１または２に記載の印章作成装置。
【請求項４】
前記検出用マークの位置は、前記製版シートの上端部近傍および下端部近傍で、かつ前記製版シートの中心点に対し点対称の位置に設けられていることを特徴とする、請求項１ないし３のいずれかに記載の印章作成装置。
【発明の詳細な説明】
【０００１】
【発明の属する技術分野】
本発明は、短冊状の製版シートの製版シート面に文字・図形等の画像を印刷する印章作成装置に関するものである。
【０００２】
【従来の技術】
従来から、長尺の製版シート面に文字・図形等を印刷する印刷装置が知られている。この印刷装置で用いる製版シートは、ロール状に巻回されてカセットに収容されており、印刷装置内にセットして、印字ヘッドにより所望の文字・図形等を印刷する。そして、その印刷部分を余白も含めて切断して、さらに表側シートと裏側シートとを剥がし、文字・図形等が印刷された表側シートの裏面に形成された貼着部を利用して、必要個所に貼り付けるようになっている。
【０００３】
【発明が解決しようとする課題】
このように、ロール状に巻回された長尺の製版シートでは、ユーザーはカセットを印刷装置内の所定位置にセットするだけで、後は所望の文字などを入力して製版すればよいのであるが、短冊状に形成された製版シートでは、先ず製版シートの裏表を判別する必要がある。さらに所定の位置に印刷を行う必要がある。これらのことを、ユーザーにゆだねると、ミスをおかす可能性があり、また煩雑でもある。また、製版シートの送り方向の前と後のどちら側からでも同じように印刷できるようにしないと、不便でもあるし、全く異なる種類の製版シートが挿入された場合には、これを判別して対処しなければならない。
【０００４】
さらに、これらのことを行うために、装置が大型になってしまっては具合が悪く、小型化することによって信頼性が低下してもまずい。
【０００５】
本発明は、上述課題を解決するためになされたものであって、短冊状に形成された製版シートに、簡単な操作で所望の位置に文字・図形等の画像を印刷することができる印章作成装置の提供を、その課題としている。
【０００６】
【課題を解決するための手段】
本発明の印章作成装置は、印刷処理後のインクリボンを、露光により印章に印章文字を形成するためのマスクとして利用する一方、前記インクリボンからインクの熱転写を受けた印刷処理後の短冊状の製版シートを、前記印章の背面に前記印章文字の確認のために貼着する前記印章文字ラベルとして利用するために、検出用マークを有すると共に手差しで挿入される前記製版シートを巻出しリールから巻き出された前記インクリボンと共に送りながら、前記製版シートにサーマル方式で印刷を行う印章作成装置であって、挿入された前記製版シートをくわえ込んで一方向に送る送り手段と、送られてゆく前記製版シートに印刷処理を行う印刷ヘッドと、前記印刷ヘッドおよび前記送り手段のシート送り方向の上流側に配設した単一のセンサと、前記センサの検出信号に基づいて、前記送り手段および前記印刷ヘッドの駆動を制御する制御手段と、を備え、前記制御手段は、手差しで挿入された前記製版シートの先端を前記センサが検出したときに前記送り手段を駆動し、前記製版シートが前記送り手段にくわえ込まれて送りを開始した後、前記センサが前記検出マークを検出したときに、前記製版シートを所定量送って前記印刷処理のための頭出しを行うことを特徴とする。
【０００８】
この印章作成装置では、単一のセンサにより、先端検出による手差し時のシートの送り開始と、その後のマーク検出による頭出しを行う。この場合、製版シートを手差し挿入してその先端部がセンサにより検出されたときに、送り手段を駆動して送りを開始するので、製版シートを送る前（手差し挿入前）の不要な動作による弊害、例えばインクリボンの無駄な消費等、が生じるのを防止できる。送りが開始された後には、製版シートの先端を検出したセンサにより、今度は検出用マークの検出を開始し、検出されると、製版シートはさらに所定量送られて印刷待機状態の頭出しが行われる。この状態から、例えば印字指令等により製版シートを送りつつ印字データに基づく印字処理が行われる。この場合、検出マークを検出してそれを基準に頭出しを行うので、送り開始時の各種のブレ（手差し挿入時の力の加減等による挿入位置のブレや、送り手段起動時の初期ブレ等）があっても、それに関わらずに正確に頭出しができる。なお、例えば製版シートが裏表逆になっていたり、規定の製版シートでなかった等により、検出用マークが検出されないときには、例えば製版シートはそのまま送り続けられ、印刷は行われないなどの結果となる。
【００１０】
この場合、前記制御手段は、前記センサが前記製版シートの終端部を検出したら、前記製版シートを排出のための所定量送った後、前記送り手段の駆動を停止させることが好ましい。
【００１１】
これらの構成によれば、製版シートがそのまま送り続けられた場合、あるいは印字処理が行われて製版シートが送られた場合のいずれの場合も、センサが製版シートの終端部を検出すると、さらに所定量送って製版シートを排出する。すなわち挿入した製版シートが裏表逆である場合や規定の製版シートではない場合にも、終端部を検出して排出することにより、中途半端な状態で止まることなく確実にその製版シートを排出することができる。
【００１２】
これらの場合、前記検出用マークの位置は、製版シートの上端部近傍および下端部近傍で、かつ製版シートの中心点に対し点対称の位置に設けられていることが好ましい。
【００１３】
この構成によれば、製版シートは前後方向がないので、いずれの方向から挿入しても同じように使用することができる。従って、ユーザーにとって使用方法が簡単となる。
【００１４】
これらの場合、前記先端部を検出するセンサと、前記検出マークを検出するセンサと、前記終端部を検出するセンサとは、単一の光センサであることが好ましい。
【００１５】
この構成によれば、装置の小型化が図れるとともに、メカセンサに比べ信頼性が向上する。
【００２０】
【発明の実施の形態】
以下、添付の図面に基いて、本発明の一実施形態に係る印章作成装置について説明する。この印章作成装置は、印面を紫外線硬化樹脂で形成した印章本体に、インクリボンに印字（印刷）した印章文字（絵柄を含む印章画像）をマスクとして紫外線を露光し、所望の印章（スタンプ）を作成するものであり、インクリボン上にマスクを生成するための装置である。図１（ａ）は印章作成装置の平面図、図１（ｂ）は印章作成装置の正面図であり、図１１は印章作成装置の制御ブロック図である。
【００２１】
図１に示すように、この印章作成装置１は、上下２分割の装置ケース２によりその外殻が形成され、前部に電子装置部３を、後部に機械装置部４を配設して、構成されている。機械装置部４の中央部には、装置本体５に印章作成対象物である印章本体Ａを装着するためのポケット６が形成され、ポケット６には窓付きの開閉蓋７が設けられている。機械装置部４の左部には、印章作成装置１を製版（印字）動作や露光動作に切り替えると共に、開閉蓋７の開放させる機能スイッチ８が配設されている。この機能スイッチ８の操作位置には、「露光」、「入力／製版」、「ＯＦＦ」および「ＯＰＥＮ」の操作表示がされていて、このうちの「露光」、「入力／製版」および「ＯＰＥＮ」の位置には、制御部３００の出力インタフェース３０５に接続された発光素子１２が配設されている。また、機械装置部４の右側部には、印章作成装置１に、後述する印章文字ラベル作成用の製版シートＢのための、差込み口９ａおよび取出し口９ｂが形成されている。さらに、機械装置部４には、ポケット６の外側に位置して、メンテナンスカバー１０が着脱自在に設けられ、メンテナンスカバー１０の内部には、インクリボンＣを搭載したリボンカートリッジ１１が装着されている。
【００２２】
電子装置部３には、上面に操作部２１が形成され、後述する制御部３００が内蔵されている。操作部２１には、制御部３００の入力インタフェース３０４に接続されたプッシュボタン群２２および操作ダイヤル２３と、出力インタフェース３０５に接続された表示器駆動回路２４ａ（図示せず）と、この表示器駆動回路２４ａによって駆動される表示器２４が配設されている。操作ダイヤル２３は、中心部に円形に配設された実行キー３１と、その外側に環状に配設された４つ割りのカーソル／変換キー３２と、更にその外側に環状に配設された文字入力キー３３とで３重構造を有しており、文字入力キー３３の表面には５０音の平仮名などが印刷されている（図示省略）。印章文字の入力は、先ずプッシュボタン群２２の所定のボタン２２ａを押して文字サイズを確定した後、文字入力キー３３を三角マーク２５に合わて回転させ、実行キー３１を押して平仮名入力を行い、この平仮名入力を適宜、カーソル／変換キー３２により漢字変換する。そして、所望の印章文字を表示器２４上に作成したところで、これを確定する。
【００２３】
ここで、印章を作成する場合の一連の操作について、図１および図２を参照して簡単に説明する。先ず、機能スイッチ８を待機位置となる「ＯＦＦ」位置から「ＯＰＥＮ」位置まで回転操作して開閉蓋７を開放し、ポケット６に印章本体Ａをセットする。この印章本体Ａのセットに伴い、制御部３００の入力インタフェース３０４に接続された印章検出部６６によって、印章本体Ａの種別が検出される。
【００２４】
次に、機能スイッチ８を「入力／製版」位置まで回転操作して製版動作に機能を移行させ、プッシュボタン群２２および操作ダイヤル２３を操作して印章文字を入力する。印章文字の入力が完了したら、印章文字ラベルが作り込まれた製版シートＢを、差込み口９ａに挿入してセットする。
【００２５】
次に、プッシュボタン群２２の所定のボタン２２ａを操作して、製版動作、すなわち印字を行わせる。この印字は、インクリボンＣと製版シートＢとに同時に為される。印字が完了すると、インクリボン（の印字部分）Ｃは露光のために先方に送られ、同時に製版シートＢは取出し口９ｂから外部に送り出される。ここで、送り出された製版シートＢにより、印章文字に誤りがないことを確認したら、次に機能スイッチ８を「露光」位置まで回転操作して露光動作に機能を移行させ、露光を行わせる。
【００２６】
露光が完了したら、機能スイッチ８を「ＯＰＥＮ」位置まで回転操作して開閉蓋７を開放し、ポケット６から印章本体Ａを取り出して、これを洗浄する。この洗浄により印章が完成するが、印章が完成したところで、上記の製版シートＢから印章文字ラベルを剥して、これを印章の背面に貼着する。
【００２７】
次に、印章作成装置１の構成部位のうち、後述する制御部３００に関連する部位について、図２〜図１０を参照して、順を追って説明する。
【００２８】
リボンカートリッジ１１は、装置本体５に対し着脱自在に構成されており、インクリボンＣの消耗に際しケースごと交換できるようになっている。図２に示すように、リボンカートリッジ１１には、一端に巻取りリール１３が、他端に巻出しリール１４がそれぞれ設けられ、インクリボンＣは、巻出しリール１４から巻き出されほぼ「Ｌ」字状に屈曲して巻取りリール１３に巻き取られる。この「Ｌ」字状に屈曲したインクリボンＣの走行経路には、その短辺部分に後述する印字部６４が臨み、長辺部分に露光部が臨んでいる。この場合、印字部６４には、このインクリボンＣと上記の製版シートＢが同時に臨み、露光部６５には印字後のインクリボンＣが臨む。
【００２９】
インクリボンＣは、透明なリボンテープとこれに塗布したインクとから成り、実施形態では、６μｍ厚のものが用いられている。印字部６４においてこのインクリボンＣに印字が行われると、インクの部分が製版シートＢに転写する。これにより、インクリボンＣのリボンテープには、インクの文字の部分が剥離したネガ画像が形成され、製版シートＢには、インクの文字の部分が付着したポジ画像が形成される。そして、インクリボンＣは、これをマスクとして利用すべく先方の露光部に送られる一方、製版シートＢは、印章文字の確認のため、またこれを作成した印章に貼着すべく、装置外部に送り出される。
【００３０】
製版シートＢは、図４に示すように、ベースシートＢａと粘着シートＢｂとを積層して成り、全体が短冊形に形成されている。粘着シートＢｂには方形に切り線Ｂｃが形成され、この切り線Ｂｃに沿ってベースシートＢａから剥した粘着シートＢｂの方形部分が、上記の印章の背面に貼着する印章文字ラベルＢｄとなる。印章本体Ａは、印章としての用途に合わせて、形状の異なる数種のものが用意されており、これに対応して製版シートＢも、その印章文字ラベルＢｄの部分の形状（切り線の形状）が異なる数種のものが用意されている。
【００３１】
一方、印章本体Ａは、図３に示すように、台木（実施形態は樹脂製）Ａａの先端に薄手のスポンジ（発泡ウレタン）Ａｂが貼着されると共に、スポンジＡｂに紫外線の影響を受けない樹脂ベースＡｃが貼着され、さらに樹脂ベースＡｃに印面Ａｄを構成する紫外線硬化樹脂が貼着されている。この印章本体Ａの紫外線硬化樹脂（印面Ａｄ）の部分に、インクリボンＣをマスクとして紫外線を露光することにより、印面Ａｄの印章文字に相当する部分が硬化する。この状態で印章本体Ａを、ポケット６から取り出して洗浄することにより、水溶性の未硬化部分が洗い出されて、印章が完成する。図中の符号Ａｅは、樹脂製のキャップである。次に、図２を参照して、印字部６４について説明する。印字部６４は、制御部３００の出力インタフェース３０５に接続されているヘッド駆動回路（図示せず）５６ａおよびモータ駆動回路（図示せず）５７ａと、ヘッド駆動回路５６ａによって駆動され、インクリボンＣに印章文字を印字する印字ヘッド（サーマルヘッド）５６と、モータ駆動回路５７ａによって駆動され、印字ヘッド５６の印字動作に対応してインクリボンＣを送るプラテンローラ５７と、印字ヘッド５６のヘッド表面に設けられたヘッド温度センサ５６ｂ（図示せず）と、を備えている。また、印字ヘッド５６とプラテンローラ５７との接触部分に向かって装置ケース２には、上記の製版シートＢが送り込まれる送込み通路１８１と、製版シートＢが送り出される送出し通路１８２とが形成されている。送込み通路１８１の上流端には外部に開放された上記の差込み口９ａが形成され、送出し通路１８２の下流端には外部に開放された上記の取出し口９ｂが形成されている。
【００３２】
プラテンローラ５７は、上述したように駆動ローラであり、インクリボンＣを巻出しリール１４から巻き出すと共に、印字ヘッド５６との間に製版シートＢをくわえ込んで、インクリボンＣと製版シートＢとを重ねた状態で印字ヘッド５６に臨ませる。印字ヘッド５６はサーマルヘッドであり、熱転写によりインクリボンＣのリボンテープに塗布されたインクを製版シートＢに転写する。この転写により、インクリボンＣから印章文字に相当する部分が剥がれて、その部分に透明なリボンテープの地が表れる一方、製版シートＢには剥がれたインクが印章文字として付着する。また、ヘッド表面温度センサ５６ｂは、上述したように印字ヘッド５６のヘッド表面に密着して設けられたサーミスタなどの温度センサであり、制御部３００の入力インタフェース３０４に接続され、印字ヘッド５６の表面温度を検出して報告する。
【００３３】
送込み通路１８１には、製版シートＢの差込みおよび送り基準位置を検出するセンサ１８３が臨んでおり、送込み通路１８１に差し込まれた製版シートＢは、このセンサ１８３の検出結果により、プラテンローラ５７により送られて、その印章文字ラベルＢｄの先端部位置から印字が開始されるようになっている。送出し通路１８２を構成する左側の壁には、その先端（上流端）に分離爪部１８４が形成されており、この分離爪部１８４により、重ねた状態で送られてきたインクリボンＣと製版シートＢとが引き離される。そして、インクリボンＣは先方の露光部に送られ、製版シートＢは送出し通路１８２を介して装置外部に送り出される。
【００３４】
次に、図２を参照して、露光部６５について説明する。露光部６５は、制御部３００の出力インタフェース３０５に接続された光源駆動回路１９１ａ（図示せず）と、ポケット６にセットした印章本体Ａの印面Ａｄに対峙するように設けられ、光源駆動回路１９１ａによって駆動される紫外線光源１９１と、紫外線光源１９１と印章本体Ａの印面Ａｄとの間に設けた押え板５８とを備えている。紫外線光源１９１は、セミホット管と呼ばれる自己加熱型熱陰極管であり、図示しない基板上に設けた蛍光管ホルダに支持されている。印章本体Ａの印面Ａｄと押え板５８と紫外線光源１９１とは、それぞれ間隙を存して相互に平行に配設されており、この印面Ａｄと押え板５８との間にインクリボンＣが配設されている。
【００３５】
押え板５８は透明な樹脂などで構成され、前進してインクリボンＣを印章本体Ａの印面Ａｄに押し当てるようになっている。すなわち、露光の際には、押え板５８により印章本体Ａの印面ＡｄにインクリボンＣを押し当てた後、紫外線光源１９１を点灯して、押え板５８越しにインクリボンＣをマスクとした露光が行われる（図５参照）。また、この露光部６５には、制御部３００の入力インタフェース３０４に接続され、露光部６５の周囲（環境）温度を検出して報告するサーミスタなどの周囲温度センサ６７（図示せず）が設けられている。
【００３６】
なお、押え板５８の前進に伴って、第１ガイドピン５３および第２ガイドピン５４も同方向に移動する。この移動は、第１および第２ガイドピン５３，５４間に張り渡したインクリボンＣの張りを緩めるものとなり、インクリボンＣは、その張力を減じた状態で、すなわち縦皺が生じない状態で印章本体Ａの印面Ａｄに押し当てられる。
【００３７】
この状態を、図２および図５を参照して更に詳述するに、図２において走行するインクリボンＣには巻取りリール１３により強い張力が作用し、上述のようにインクリボンＣは極薄のテープゆえ縦皺が生じている。したがって、このままインクリボンＣを印章本体Ａの印面Ａｄに押し付けると、インクリボンＣは縦皺を生じたまま印面Ａｄに押し付けられ、印章文字が歪んで露光されてしまう。一方、インクリボンＣを弛ませると、印章文字が位置ずれして露光されしまう。そこで、図５に示すように、押え板５８の前進に伴って、第１ガイドピン５３および第２ガイドピン５４も前進させて、インクリボンＣの張りを緩めると共に、その際にテンションピン５５により、インクリボンＣに縦皺が生じない程度の弱い力で張りを与えるようにしている。
【００３８】
また、図５の露光状態におけるインクリボンＣは、テンションピン５５および第２経路ピン５２により、押え板５８の両端で後方に折り曲げられ、押え板５８の両端に形成した面取り部分２０７の作用により、インクリボンＣに無用な皺が生じないようになっている。
【００３９】
なお、上述したように、印字によって製版シートＢに形成されたポジ画像とインクリボンＣに形成されたネガ画像は、それぞれ印章文字ラベルと露光用マスクとして使用される。すなわち、これらの画像の出来映えが、印章としての完成品の出来映えに直接、反映される。特に、露光用マスクとして使用されるインクリボンＣが歪んでしまうと、印章文字が歪んで露光されてしまうため、上記の張力に対する機械的な構造上の工夫のほか、後述する熱量に対する電気的な機能上の工夫がなされ、インクリボンＣに無用な皺などが発生しないようにしている。
【００４０】
次に、開閉蓋７の開閉に連動する印章検出部６６について説明する。この印章検出部６６は、ポケット６に印章本体Ａが装着されたことを検出すると共に、印章本体Ａの種別を判別するものである。印章本体Ａには、角型印用、氏名印用、ビジネス印用、住所印用などの各種形状の異なるものが用意され、これら各種の印章本体Ａは、長さは同一であるが、幅および厚みが異なっている。このような幅および厚みの異なる各種の印章本体Ａを、幅方向および厚み方向において、ポケット６内の一定の位置にセットするため、この実施形態では、図６および図７に示すように、ポケット６の底面６ｂに長短４本のボス２５１，２５１，２５１，２５１が立設され、これに対応して印章本体Ａには、ボス２５１が嵌合する嵌合穴Ａｆが形成されている（図７参照）。
【００４１】
４本のボス２５１，２５１，２５１，２５１は「Ｔ」字状に配設されており、これに対応して、例えば角型印では２個の嵌合穴Ａｆ，Ａｆが（図７（ａ））、ビジネス印では４個の嵌合穴Ａｆ，Ａｆ，Ａｆ，Ａｆが（図７（ｂ））、形成されている。このように、印章本体Ａの嵌合穴Ａｆの数および深さは、印章本体Ａの種別により区々であり、この嵌合穴Ａｆとボス２５１の組み合わせにより、ポケット６に装着した各種の印章本体Ａの印面Ａｄの中心が、常に同一の位置に来るように位置決めされる。
【００４２】
また、印章本体Ａの印面Ａｄと逆の背面Ａｇには、厚み方向の中間位置に横並びに複数個の子穴（種別検出穴）Ａｈが形成されており、後述する印章検出部６６のスイッチアレイ２６２との協働により、印章本体Ａの種別が判別される（図８参照）。なお、印章本体Ａの背面Ａｇには、印字後にインクリボンＣから分離して装置外部に送り出された製版シートＢの印章文字ラベルＢｄが貼着され、これにより子穴Ａｈが隠されるようになっている。
【００４３】
印章検出部６６は、図９および図１０に示すように、印章本体Ａの背面Ａｇに対向するように配設したスイッチホルダ（ポケット６の壁面を兼ねている）２６１と、スイッチホルダ２６１に支持させた６個の検出スイッチ２６３から成るスイッチアレイ２６２とを備えている。各検出スイッチ２６３は、プッシュスイッチなどで構成されたスイッチ本体２６４と、先端がポケット６内に臨むスイッチトップ２６５とで、構成されている。スイッチトップ２６５は、平板部２６６と、平板部２６６から直角に延びる検出突起部２６７とから成り、平板部２６６の下部でスイッチホルダ２６１に形成したガイド突起２６８に、且つ検出突起部２６７でスイッチホルダ２６１に形成したガイド孔２６９に案内されて、前後方向に移動する。
【００４４】
スイッチ本体２６４は基板２７０の裏面に固定され、そのプランジャ２７１をスイッチトップ２６５の平板部２６６に突き当てるように配設されている。この場合、プランジャ２７１はそのばね力でスイッチトップ２６５をポケット６側に付勢しており、この付勢により検出突起部２６７の先端がスイッチホルダ２６１のガイド孔２６９からポケット６内に突出する状態と、この付勢に抗してガイド孔２６９に没入する状態とが、検出スイッチ２６３のＯＮ−ＯＦＦに対応している。この場合、スイッチアレイ２６２の内のいずれか１個の検出スイッチ２６３が、ＯＮ状態になったときに、印章本体Ａが装着されていることが検出され、全ての検出スイッチ２６３が、ＯＦＦ状態になったときに、印章本体Ａが装着されていないことが検出される。そして、スイッチアレイ２６２の各検出スイッチ２６３は、対応する印章本体Ａの小穴Ａｈの有無により、ＯＮまたはＯＦＦのいずれかの状態となる。したがって、６個の検出スイッチ２６３のＯＮ・ＯＦＦのパターンにより、印章本体Ａの種別が判別される。
【００４５】
図８は、印章本体Ａの小穴Ａｈと、６個の検出スイッチ（検出突起部）２６３との関係を表している。６個の検出スイッチ２６３と小穴Ａｈの有無との関係から、２n−１種類、すなわち６３種の判別パターンが可能になっている。この場合、角型印などの幅の狭い印章本体Ａに対しては、両外端の２個の検出スイッチ２６３，２６３に対する小孔Ａｈがなく、この２個の検出スイッチ２６３，２６３は、印章本体Ａの両側の空間に向かって突出する。すなわち、角型印などの幅の狭い印章本体Ａでは、印章本体Ａの最外端に架空の小孔Ａｈが有る判別パターンとして、認識される。
【００４６】
次に、図１１を参照して、制御部３００について説明する。この制御部３００は、例えばマイクロコンピュータによって構成され、ＣＰＵ３０１、ＲＯＭ３０２、ＲＡＭ３０２、入力インタフェース３０４、出力インタフェース３０５、およびこれらを接続するシステムバス３０６を備えている。
【００４７】
ＲＯＭ３０２には、各種プログラムや、かな漢字変換用辞書データ、文字・記号などのフォントデータ、所定の印章枠データなどの固定データが格納されている。ＲＡＭ３０３は、作業エリアとして用いられ、また、使用者の入力に係る固定データを格納するのに用いられる。このＲＡＭ３０３の格納データは、電源オフ時にもバックアップされている。
【００４８】
入力インタフェース３０４は、前述した操作部２１のプッシュボタン群２２、操作ダイヤル２３、印字部６４のヘッド表面温度センサ５６ｂ、露光部６５の周囲温度センサ６７、印章検出部６６などからの入力信号を、システムバス３０６を介してＣＰＵ３０１やＲＡＭに取り込むためのインタフェースを行う。出力インタフェース３０５は、ＣＰＵ３０１、ＲＯＭ３０２、またはＲＡＭ３０３からの各種制御信号や各種制御用データを、システムバス３０６を介して入力し、前述した発光素子１２、操作部２１の表示部駆動回路２４ａ、印字部６４のヘッド駆動回路５６ａ、モータ駆動回路５７ａ、露光部６５の光源駆動回路１９１ａなどに対して出力するためのインタフェースを行う。
【００４９】
ＣＰＵ３０１は、入力インタフェース３０４からの入力信号や、そのときの処理内容に応じて定まるＲＯＭ３０２内の処理プログラムに基づいて、ＲＡＭ３０３を作業エリアとして用い、また、必要なときにＲＯＭ３０２やＲＡＭ３０３内に格納されている固定データを適宜用いて処理する。
【００５０】
この印章作成装置１の場合、ＣＰＵ３０１は、以下に説明するマルチタスク処理を行っている。
【００５１】
図１２は、本実施形態のマルチタスク処理の概念図であり、処理すべき複数のタスクを優先順位ＲＤＹ０〜ＲＤＹｎ（図示の場合、ｎ＝７）に分類し、その優先順位に基づいて処理順を決定して、各タスクを起動している。以下の説明では、最も高い優先順位ＲＤＹ０に分類されたタスクをＴＣＢ０ｉ（ｉ＝０、１、２、…）、最も低い優先順位ＲＤＹ７に分類されたタスクをＴＣＢ７ｉ、他の優先順位に関しても同様に、優先順位ＲＤＹｊ（ｊ＝０〜７）に分類されたタスクをＴＣＢｊｉと示す。また、優先順位ＲＤＹｊに分類されてその分類の中での待ち状態になることを、例えば、タスクＴＣＢｍ０がＴＣＢｊ０として登録されたと表現することとし、優先順位ＲＤＹｊに１個以上のタスクが登録されていることをＲＤＹｊに「タスク有」と表現する。
【００５２】
また、同図に示すように、このマルチタスク処理では、プッシュボタン群２２のいずれかのプッシュボタンの押下や操作ダイヤル２３の操作による割込などのイベント発生により、新たに必要になった処理内容を示すタスク名（図示のＴＣＢｍ０など）を登録したり、各タスク間の通信（図示のＭａｉｌｍ１など：以下「メール」と略称する）を登録するエリアが確保されており、以下、このエリアをメールボックスＭＢＸと表現する。さらに、現在実行中の処理内容を示すタスク名をＴＣＢｒ０と表現し、このタスクを実行して処理することを現タスク実行処理、または省略してＲＵＮ処理と表現し、例えば、ＴＣＢ００を選択して起動するときは、ＴＣＢ００をＴＣＢｒ０として登録して起動すると表現する。この場合の登録を、後述する階層処理ダイアグラムやフローチャート上では、ＴＣＢｒ０←ＴＣＢ００のように示す。メールボックスＭＢＸ内のタスクＴＣＢｍ０などは、現在実行中のタスクＴＣＢｒ０の強制中断の可否、または、どの優先順位ＲＤＹｊに登録するかなどの情報を有しており、後述するＭＢＸ処理においては、これらの情報に基づいてタスクＴＣＢｍ０を処理する。
【００５３】
図１３は、通常のフローチャートを用いて、本発明の実施形態の処理手順を示そうと試みたものである。同図に示すように、電源オンなどにより処理がスタートすると、まず、印章作成装置１内の各部の初期設定を行い（Ｓ０１）、次に、タスク監視・切替（ＲＤＹ）処理を行った（Ｓ０２）後、メールボックス（ＭＢＸ）処理を行う（Ｓ０３）。次に、何らかのイベントが発生しているか否かをチェックし（Ｓ０４）、発生しているときは、その発生しているイベントに対応する処理を行い（Ｓ０５）、その後、現タスク実行（ＲＵＮ）処理を行う（Ｓ０６）。そして、ＲＤＹ処理（Ｓ０２）からＲＵＮ処理（Ｓ０６）までを繰り返すことになる。
【００５４】
しかし、実際の処理では、上記のＲＤＹ処理、ＭＢＸ処理は、定期的に定められたタイミングでのみ処理され、また、各イベント対応の処理は、そのイベントの発生に応じて起動される処理であり、他のタイミングでは、ＲＵＮ処理を行っているため、このフローチャートの記述では正確に表現しにくく、また、プログラムの階層構造も理解しにくい。そこで、以下の説明では、１つの連続する処理を説明するときは、別のタスクを起動するなどの実際のマルチタスクの動作に拘らず、そのタスク処理をサブルーチンとして示したフローチャートを用いることとし、イベント駆動タイプ、すなわちイベント発生などにより起動されるタスクなどの説明には、図１４に示す記述方法（以下、「階層処理ダイヤグラム」と略称する）を用いて説明する。
【００５５】
ここで、階層処理ダイアグラム上、◇印のある処理分岐は、イベント駆動形のタスク、プログラム、またはサブルーチンであることを示し、割込や他のタスクからのタスク起動などのイベントが発生したときに実行される。図１４のタスク監視・切替（ＲＤＹ）処理は、リアルタイムモニタなどから一定間隔のタイミングで割込が発生し、そのタイミングでのみ起動される。また、メールボックス（ＭＢＸ）処理も、ＲＤＹ処理とは別の一定間隔のタイミング割込によって起動される。イベント発生処理は、前述したように、操作ダイヤル２３の操作などの種々のイベントにより起動されるタスクをメールボックスＭＢＸ内に登録する処理であり、実際には、各イベント発生毎に独立してメールボックスＭＢＸにアクセスし、そのイベントの処理に対応したタスク名を登録するが、図１４では、それらを代表的に一つだけ図示している。
【００５６】
図１４に示すように、電源オンなどにより処理がスタートすると、まず、処理分岐Ｉｎの初期設定（以下、「初期設定（Ｉｎ）のように表現する）を行う。初期設定（Ｉｎ）では、印章作成装置１全体の処理の流れを決定するための、後述する主要タスク起動処理のタスクＴＣＢｉｎをＭＢＸに登録する（Ｉｎ１）。初期設定（Ｉｎ）が終了し、仮にＲＤＹ処理のタイミングではなく、ＭＢＸ処理のタイミングでもなく、何らかのイベント発生もなければ、次に、ＲＵＮ処理（ＣＴ）に移るが、ここでは、まだなにも登録されておらず、実行されていないため、ＲＤＹ処理またはＭＢＸ処理の起動タイミング待ちになる。
【００５７】
この状態で、ＲＤＹ処理のタイミングになると、ＲＤＹ処理（Ｒ）が実行されるが、ＲＤＹ０〜ＲＤＹ７にタスクが登録されていないため、すなわちＲＤＹ０〜ＲＤＹ７にタスク有（Ｒ１〜Ｒ８）ではないため、何も処理されずに終了する。一方、ＭＢＸ処理のタイミングになると、ＭＢＸ処理（Ｍ）が実行され、ＭＢＸ内には、主要タスク起動処理用のタスクＴＣＢｉｎがＴＣＢｍ０として登録されているので、ＭＢＸにタスク有（Ｍ１）の処理がされ、ＭＢＸ内のタスクＴＣＢをＲＤＹに登録する（Ｍ１１）。すなわち、例えば、タスクＴＣＢｉｎの指定された優先順位がＲＤＹ４に相当すれば、タスクＴＣＢｉｎがＴＣＢ４０としてＲＤＹ４に登録される。
【００５８】
この状態で、ＲＤＹ処理のタイミングになり、ＲＤＹ処理（Ｒ）が実行されると、例えば、ＲＤＹ４にタスク有（Ｒ３）の処理が実行される。ここで、図１５を参照して、ＲＤＹｉにタスク有（Ｒ（ｉ−１））の処理を説明する。この処理では、大きくは、新たなタスクを起動する場合と、タスクは起動せず、現在実行中のタスクに対して中断依頼メールを送信する場合と、何も処理しない場合とのいずれかに分岐する。
【００５９】
まず、現実行タスクがない場合、すなわちＴＣＢｒ０として何も登録されておらず、ＲＵＮ処理がなされていない場合、または、現在実行中のタスクＴＣＢｒ０の優先順位がＲＤＹ（ｉ＋１）以下であり、かつ、その現実行タスクが中断可能の場合には、新タスクが起動される。この中断可能な場合とは、新タスクが現実行タスクを強制中断可能なものであるか、後述の中断依頼メールに対する返信メールの内容が中断可メールか、またはすでに終了したことを示す終了メールである場合が相当する。この条件が成立したとき、すなわち、（現実行タスク無）＋（現実行タスクＲＤＹ（ｉ＋１）以下）＆（（強制中断可）＋（ＭＢＸに返信メール有）＆（（中断可メール）＋（終了メール）））の条件が成立したとき（Ｒ（ｉ−１）１）に、新タスクが起動される（Ｒ（ｉ−１）１１）。ここで、＋は論理和、＆は論理積を表す。
【００６０】
また、現実行タスクの優先順位がＲＤＹ（ｉ＋１）以下であり、かつ、そのタスクからの返信メールがなくて中断可か不可か不明の場合、または、以前に一度依頼したときには中断不可であり、状況により再依頼する場合には、中断を要請する中断依頼メールをメールボックスＭＢＸに送信する。すなわち、（現実行タスクＲＤＹ（ｉ＋１）以下）＆（強制中断不可）＆（（ＭＢＸに返信メール無）＋（中断不可メール））の条件が成立したとき（Ｒ（ｉ−１）２）には、中断依頼メール送信を行う（Ｒ（ｉ−１）２１）。そして、これらの条件が双方とも成立しないとき、すなわち、現実行タスクの優先順位がＲＤＹｉ以上のときは、何も処理をせずに、ＲＤＹｉにタスク有（Ｒ（ｉ−１））を終了する。
【００６１】
新タスク起動（Ｒ（ｉ−１）１１）の場合、この処理以前に、例えば、より優先順位の高い他のタスクを起動するために中断されていたり、また、子タスクを起動して、その子タスクの処理結果待ちの状態で中断されていたタスクなどがある場合には、後述する再開情報などによりその再開の可否を判断して、再開可能の場合には、（中断タスク有）＆（再開可）（Ｒ（ｉ−１）１１１）の処理が実行される。この処理では、現実行タスク名ＴＣＢｒ０として中断されていたタスク名を登録し（Ｒ（ｉ−１）１１１１）、退避していたデータ等がある場合には、それらを復帰し（Ｒ（ｉ−１）１１１２）、新たにＲＵＮ処理を起動する（Ｒ（ｉ−１）１１１３）。このイベント発生により、後述のＲＵＮ処理（ＣＴ）において、新タスク起動（ＣＴ１）の処理が起動される。
【００６２】
中断されていたタスクがない場合には、中断タスク無（Ｒ（ｉ−１）１１２）が処理され、ＴＣＢｒ０←新タスク名（Ｒ（ｉ−１）１１２１）の後、新たにＲＵＮ処理を起動する（Ｒ（ｉ−１）１１２２）。例えば、主要タスク起動処理のタスクＴＣＢｉｎのときは、新タスク起動（Ｒ３１１）の処理において、中断タスク無（Ｒ３１１２）のＴＣＢｒ０←ＴＣＢｉｎ（Ｒ３１１２１）の後、ＲＵＮ処理起動（Ｒ３１１２２）が実行される。そして、中断タスクがあるものの再開不可の場合には、再開可能になるまで待機するため、何も処理をせずに、新タスク起動（Ｒ（ｉ−１）１１）を終了する。なお、上記の子タスクは、通常、親タスクよりも優先順位を高く設定するため、この新タスク起動（Ｒ（ｉ−１）１１）が処理されるときには子タスクは終了していて、再開可能となる場合が一般的である。
【００６３】
次に、図１４を参照して、メールボックス（ＭＢＸ）処理について説明する。この処理では、ＭＢＸにタスク有（Ｍ１）の場合には、ＭＢＸ内のタスクＴＣＢｍ０を、そのタスクの指定された優先順位に基づいて、対応する優先順位のＲＤＹｊに登録する（Ｍ１１）。また、ＭＢＸにメール有（Ｍ２）の場合には、中断依頼メールのとき（Ｍ２１）は、最新依頼メールとして登録し（Ｍ２１１）、現実行タスクＴＣＢｒ０に送信（Ｍ２１２）するとともに、（返信メール）＋（終了メール）のとき（Ｍ２２）は、最新依頼メールに対する返信メールとして登録し（Ｍ２２１）、返信待ちＲＤＹに送信する（Ｍ２２２）。
【００６４】
次に、イベント発生処理（Ｅ）について説明する。前述の初期設定（Ｉｎ）は、説明の便宜上、別のものとして説明したが、実際には、このイベント発生処理（Ｅ）の一種である。すなわちイベント処理（Ｅ）は、操作ダイヤル２３の操作などの装置外部からのイベントにより起動されるタスクや、内部処理のためにプログラム上発生させるタスクなどを、ＭＢＸに登録する処理（Ｅ１）を行う。主要タスク起動処理のタスクＴＣＢｉｎは、このＭＢＸに登録後、ＲＤＹに登録され、新タスクとして、以下に説明するＲＵＮ処理（ＣＴ）で実行される。
【００６５】
次に、図１６を参照して、現タスク実行（ＲＵＮ）処理（ＣＴ）について説明する。この処理は、上述してきた他のイベントが発生していないときに、現実行タスクＴＣＢｒ０を継続して処理するものであり、この処理中に発生するイベントとしては、新タスク起動（ＣＴ１）、中断依頼メール有（ＣＴ２）および現実行タスク終了（ＣＴ３）があり、これらのイベントが発生しないときには、現実行タスク処理を継続する（ＣＴ４）。新タスクを起動する（ＣＴ１）ときは、現在実行中のタスクのためのデータの退避などを行い（ＣＴ１１）、現実行タスクを中断し（ＣＴ１２）、再開継続が予定されている場合（ＣＴ１３）には、再開情報をタスク情報として記録して（ＣＴ１３１）、その情報とともに、そのタスクを元のＲＤＹに再登録する（ＣＴ１３２）。
【００６６】
中断依頼メール有（ＣＴ２）のときは、そのときの現実行タスクの状態が中断可能なものか否かを判別し、中断可能（ＣＴ２１）のときは、中断可メールをＭＢＸに送信し（ＣＴ２１１）、中断不可（ＣＴ２２）のときは、中断不可メールを送信する（ＣＴ２２１）。なお、ＲＵＮ処理（ＣＴ）中に、前述のＲＤＹ処理（Ｒ）、ＭＢＸ処理（Ｍ）、またはイベント発生処理（Ｅ）に切り替わるときにも、一時的にＲＵＮ処理が中断されるため、同様のことが行われるが、他のタスクとの切替と異なり、リアルタイムモニタの基本的な処理であるため、説明は省略する。そして、現実行タスクＴＣＢｒ０の処理が終了したとき（ＣＴ３）には、終了メールをＭＢＸに送信し（ＣＴ３１）、次の新タスク起動まで待機する（ＣＴ３２）。
【００６７】
図１７は、主要タスク起動処理の一例を示している。図に示すように、主要タスク起動処理タスクＴＣＢｉｎが起動すると、まず、ワーク（作業）エリア確保（Ｓ１１）のタスクをメールボックスＭＢＸに登録し、続いて、表示処理（Ｓ１２）およびユニット（印章本体）判定エラー処理（Ｓ１３）のタスクを登録し、次に、入力エラー判定処理（Ｓ１４）、キャラクタ等入力処理（Ｓ１５）、製版（印章）画像作成処理（Ｓ１６）、シート処理（Ｓ１７）、およびブザー処理（Ｓ１８）などのタスクを登録し、その後、印刷処理（Ｓ１９）のタスクを登録した後、露光処理（Ｓ１６）のタスクを登録する。これらの子タスクは、ＭＢＸ処理によって、それぞれの優先順位ＲＤＹｊに分類登録され、ＲＤＹ処理によって次々に起動される。また、これらの子タスクが起動されると、必要に応じてさらに孫タスクがメールボックスＭＢＸに登録され、それぞれＲＤＹ処理により起動される。
【００６８】
すなわち、初期設定のタスクＴＣＢｉｎを含めた複数のタスクは、それぞれ、何らかの処理待ち状態になるまで処理が進められる。印章作成装置１内の内部処理は、処理待ちの要因となっている他のタスクの処理が進んで待ち状態が解除されれば、前述したマルチタスク処理によって次の処理に進むため、結果的には、使用者の入力その他の操作待ちとなる。逆に言えば、使用者の操作が行われた後は、また次の操作待ちになるまで、エラー処理を含めた各タスクの処理が次々と行われる。
【００６９】
したがって、この結果、操作時の実感として、種々の処理が並列かつ同時に行われる。すなわち、この印章作成装置１の処理では、使用者の操作を一つ一つ待ってから次の処理に移るのに比べて、後に必要になる種々の処理を先行して行なうことができ、これにより、人間の待ち時間を極力削減することができ、高速化を図ることができる。なお、上記のマルチタスク処理のような並列処理は、プログラムまたは上記のようなタスク処理を全て割込処理とし、発生した割込の優先順位を制御する割込制御回路を採用することによって実現することもできる。
【００７０】
図１７における点線の表示は、外見上同時に並行処理されているタスク処理のイメージを示したものである。また、キャラクタ等入力処理（Ｓ１５）、入力エラー判定処理（Ｓ１４）および製版画像作成処理（Ｓ１６）は、同時に処理される。具体的には、最初のキャラクタ等（文字・記号・図形など）の入力を行ってから、次のキャラクタ等の入力を行うまで（Ｓ１５）の間に、テキスト内に入力された文字数等に不具合がないか判断し（Ｓ１４）、製版用の画像を作成する（Ｓ１６）。これらの処理途中でキャラクタの入力が行われると（Ｓ１５）、入力エラー判定処理（Ｓ１４）および製版画像作成処理（Ｓ１６）は直ちに中止され、改めて最初から各処理を再開する。そして、これらの期間中にも、表示処理（Ｓ１２）やブザー処理（Ｓ１８）、および製版シートＢの挿入時にはシート処理（Ｓ１７）が並行して実行されている。
【００７１】
本発明の印章作成装置１は、制御部３００と印字部６４により実施されており、図１８を参照して、以下にその特徴となる動作を説明する。
【００７２】
製版シートＢは、図４で示したように、ベースシートＢａと粘着シートＢｂとを積層してなり、全体が短冊型に形成されている。粘着シートＢｂには方形に切り線Ｂｃが形成され、この切り線Ｂｃに沿ってベースシートＢａから剥がした粘着シートＢｂの方形部分が、上記の印章の背面に貼着する印章文字ラベルＢｄとなる。また、製版シートＢの上端部及び下端部近傍で、かつ製版シートの中心点に対して点対称の位置にそれぞれ検出孔（検出用マーク）Ｂｅが設けられている。
【００７３】
次に、図２及び図１８を参照して、製版シートＢの挿入排出動作について説明する。製版シートＢを、印章作成装置１の差込み口９ａから送込み通路１８１へと挿入し、図１８第１段目に示す位置までくると、製版シートＢの先端部を光センサ１８３が検出する。この検出信号を受け、モータの回転によりプラテンローラ５７が回転して、インクリボンＣを巻出しリール１４から巻き出すと共に、印字ヘッド５６との間に製版シートＢをくわえ込んで、インクリボンＣと製版シートＢとを重ねた状態で印字ヘッド５６に臨ませ、さらに一定量送る（図１８第２段目）。図１７のＳ１７ａ内で製版シートの挿入時の処理を行い、Ｓ１７ｂで排出時の処理が行われる。
【００７４】
その間に、図１８第３段目に示すように、センサ１８３が製版シートＢの検出孔Ｂｅを検出した場合には、その検出位置からさらに所定量送って製版シートＢの頭出しを行い（図１８第４段目）、一旦停止する。一方、検出孔Ｂｅを検出できない場合には、製版シートＢを送り続ける。なお、頭出しを行うために送る所定量は調整可能に構成されている。この位置調整は、図１７のユニット判定（Ｓ１３）の子タスクである環境設定処理で行われ、Ｓ１７ａで実際の移動を行い位置を決定する。
【００７５】
この環境設定処理は、プッシュボタン群２２の所定のプッシュボタンを押すことによって起動され、まず、図１９に示す階層１の選択内容を表示部２４に表示し、操作ダイヤル２３の操作によって、順次、表示内容を替えられるようになっている。ユーザーは、選択内容として「位置」が表示された時点で、操作ダイヤル２３の実行キー３１を押すことによって、選択内容を確定できる。階層１の選択内容が確定すると、階層２の選択内容、すなわち「位置」の場合は位置調整用の「前７」〜「後７」の１５段階のいづれか、が表示部２４に表示され、ユーザーは、階層１の選択と同様の方法で、選択内容を確定できる。そして、これらの選択が終了した時点で、上記の所定のプッシュボタンを押すことにより、この処理を終了する。このときに選択された内容は、環境設定処理終了後も、印章作成装置１本体のリセットか再設定まで保存される。
【００７６】
以上により、製版シートＢが裏表逆挿入された場合、あるいは規定の製版シートではない場合などが判断される。また、頭出し位置調整ができるので、製版シートの送り機構などの機械精度を厳密にしなくても、この部分で吸収することができ、また製版シート上の印刷開始位置を任意の位置に移動することができる。
【００７７】
続いて、製版シートＢの頭出しが行われた場合に、印字指令があると、プラテンローラ５７が回転して製版シートＢを送りつつ印字データに基づく印字処理が行われる（図１８第５、６段目）。印字が終了すると、図１８第７段目に示すように、製版シートＢの排出が開始され、製版シートＢの終端部をセンサ１８３が検出すると、その検出位置から所定量送って製版シートＢを排出し、プラテンローラ５７の回転は止まる。挿入した製版シートが裏表逆である場合や規定の製版シートではない場合にも、終端部を検出して排出することにより、中途半端な状態で止まることなく確実にその製版シートを排出することができる。
【００７８】
また、製版シートＢの挿入動作は、規定された状態、例えばエラーなど以外では、図１２乃至１７を参照して説明したように、常時動作可能に構成されている。すなわち、処理が行われている最中でも、製版シートＢを挿入すれば、常に受け入れられて印刷待機状態の頭出しが行われるので、ユーザーに操作上の安心感を与える。
【００７９】
【発明の効果】
以上説明したように、本発明によると、製版シートの裏表逆の挿入及び規定以外のシートの挿入を検出でき、かつ排出するので、誤製版を行う恐れがない。
【図面の簡単な説明】
【図１】本発明の一実施形態に係る印刷装置を備えた印章作成装置の外観図である。
【図２】印章作成装置の機械装置部の内部構造図である。
【図３】印章本体の構造図である。
【図４】製版シートの構造図である。
【図５】機械装置部の露光装置廻りの平面図である。
【図６】開閉蓋を取り去った状態のポケット廻りの平面図である。
【図７】各種印章本体のポケットへの装着状態を表した構造説明図である。
【図８】各種印章本体の判別パターンを説明する説明図である。
【図９】印章検出部の検出動作を表した断面図である。
【図１０】ポケットおよび印章検出部廻りの平面図である。
【図１１】印章作成装置の制御ブロック図である。
【図１２】印章作成装置のマルチタスク処理の概念図である。
【図１３】印章作成装置の処理手順を示そうと試みたフローチャートである。
【図１４】印章作成装置の主な処理を示す階層処理ダイヤグラムである。
【図１５】印章作成装置のタスク監視・切替処理を示す階層処理ダイヤグラムである。
【図１６】印章作成装置の現タスク実行処理の階層処理ダイヤグラムである。
【図１７】印章作成装置の主要タスク起動処理の一例を示すフローチャートである。
【図１８】製版シートの挿入から排出までの工程を説明する図である。
【図１９】印章作成装置の環境設定処理の選択内容を示す図である。
【符号の説明】
１  印章作成装置
１２  発光素子
２１  操作部
２２  プッシュボタン群
２３  操作ダイヤル
２４  表示器
３１  実行キー
３２  カーソル／変換キー
３３  文字入力キー
５６  印字ヘッド
５７  プラテンローラ
６４  印字部
６５  露光部
６６  印章検出部
６７  周囲温度センサ
１９１  紫外線光源
３００  制御部
３０１  ＣＰＵ
３０２  ＲＯＭ
３０３  ＲＡＭ
３０４  入力インタフェース
３０５  出力インタフェース
３０６  システムバス
Ａ  印章本体
Ｂ  製版シート
Ｃ  インクリボン
【図１】
0003904624.tif 000002
【図２】
0003904624.tif 000003
【図３】
0003904624.tif 000004
【図４】
0003904624.tif 000005
【図５】
0003904624.tif 000006
【図６】
0003904624.tif 000007
【図７】
0003904624.tif 000008
【図８】
0003904624.tif 000009
【図９】
0003904624.tif 000010
【図１０】
0003904624.tif 000011
【図１１】
0003904624.tif 000012
【図１２】
0003904624.tif 000013
【図１３】
0003904624.tif 000014
【図１４】
0003904624.tif 000015
【図１５】
0003904624.tif 000016
【図１６】
0003904624.tif 000017
【図１７】
0003904624.tif 000018
【図１８】
0003904624.tif 000019
【図１９】
0003904624.tif 000020